(57)【要約】【課題】この発明は、コンクリートバイブレータなどの電動土木作業機械において、簡易な構造で過酷な振動にも耐えうるアース構造を得ることを課題とするものである。【解決手段】この発明の電動土木作業機械のアース装置は、弾性絶縁素材の電線保護部材４で保護された電線５を複数本束ねてなる電線束６の内部にアース線７を配設し、前記電線束６の外周にアース端子８の接触片８２を被せて取り付け、前記接触片８２の一端に接続片８１を連設し、この接続片８１を前記アース線７に接続し、前記アース端子８が取り付けられた電線束６を電動機のケーシングと導通した内壁を備えた電線挿入口２１に嵌挿し、前記電線束６の外周と電線挿入口２１の内壁とで前記アース端子８の接触片８２を挟み込むようにして構成する。【選択図】図１
2010213395.tif 000002
【特許請求の範囲】
【請求項１】
弾性絶縁素材の電線保護部材で保護された電線を複数本束ねてなる電線束の内部にアース線が配設され、
前記電線束の外周にアース端子の接触片が被せて取り付けられ、
前記接触片の一端に接続片が連設され、この接続片が前記アース線に接続され、
前記アース端子が取り付けられた電線束を電動機のケーシングと導通した内壁を備えた電線挿入口に嵌挿し、前記電線束外周と電線挿入口内壁とで前記アース端子の接触片を挟み込むようにしたことを特徴とする電動土木作業機械のアース装置。
【請求項２】
アース線とアース端子との接続部は、複数の電線保護部材で保持された請求項１記載のアース装置。
【請求項３】
電線挿入口に嵌挿された電線束の電線挿入口開口側にはゴムリングが取り付けられた、請求項１又は２記載のアース装置。
【発明の詳細な説明】
【技術分野】
【０００１】
この発明は、コンクリートバイブレータなどの電動土木作業機械のアース構造に関するものである。
【背景技術】
【０００２】
従来、コンクリートバイブレータなどの電動土木作業機械はアース構造を備えていないものが多い。
【０００３】
より安全性を高めるため、コンクリートバイブレータなどの電動土木作業機械にもアース構造を設けておくことが好ましいが、従来のコンクリートバイブレータなどの電動土木作業機械には組立性、耐振性に優れたアース構造を備えたものが存在しない。
【０００４】
一般的なアース構造としては、例えば、特開２００１−２４５４６２号公報に示されたアース構造のように、電動機のケーシングにアース線をネジ固定により取り付けることが考えられる。
しかしながら、この方法によれば、アースを取り付けるための大幅な構造上の変更を余儀なくされ、小型化、軽量化、取扱容易性の観点からは好ましくない。
また、電動土木作業機械は振動を伴うことが多く、アースの接続をネジ固定とした場合にはネジの緩みが発生して接続不良が生じるおそれがある。これを防止するためにネジ緩み防止剤を使用したり、ネジ固定ではなくアース線を直接溶着することも考えられるが、ネジ緩み防止剤は導電性に劣るためアース接続には適さず、溶着は接続作業に手間がかかる。
【特許文献１】特開２００１−２４５４６２号公報
【発明の開示】
【発明が解決しようとする課題】
【０００５】
この発明は、コンクリートバイブレータなどの電動土木作業機械において、簡易な構造で過酷な振動にも耐えうるアース構造を得ることを課題とするものである。
【課題を解決するための手段】
【０００６】
この発明の電動土木作業機械のアース装置は、弾性絶縁素材の電線保護部材で保護された電線を複数本束ねてなる電線束の内部にアース線を配設し、前記電線束の外周にアース端子の接触片を被せて取り付け、前記接触片の一端に接続片を連設し、この接続片を前記アース線に接続し、前記アース端子が取り付けられた電線束を電動機のケーシングと導通した内壁を備えた電線挿入口に嵌挿し、前記電線束外周と電線挿入口内壁とで前記アース端子の接触片を挟み込むようにして構成されている。
電線保護部材は、弾性樹脂などで被覆されている電線を更に保護するための部材だけでなく、銅線など裸の電線を直接保護する部材も含む概念である。
アース線には銅線などの電線（絶縁体で被覆されていてもいなくともよい）を用い、電線保護部材で保護された複数の電線を束ねた電線束の内部に配設してあればよく、電線束を構成する複数の電線保護部材の間に介在させて配設することが考えられる。
アース端子は、接触片が電線束の外周に被せることのできる形状で、これに接続片が連設され電線束内部でアース線に接続されていればよい。前記接触片は帯状の金属片を環状に形成したものが好ましいが、線材を使用することもできる。また、電線束に嵌ればよいのであって、電線束の外周２／３程度を覆うものでもよい。
電線挿入口は、電動土木作業機械に電力を供給するための電線を挿入するための孔であって、モーターなどの電動機のケーシングと電気的に接続された内壁を備えていればよく、必ずしも機械のボディ自体に設けられている必要はない。
【０００７】
アース線とアース端子とは電線束内部に形成された空間内で接続されていればよいが、この接続部を保護するために、アース線とアース端子との接続部を複数の電線保護部材で保持することが好ましい（請求項２）。
【０００８】
電線挿入口に嵌挿された電線束の電線挿入口開口側にはゴムリングを取り付けてもよい（請求項３）。
【発明の効果】
【０００９】
この発明によれば、弾性絶縁素材の電線保護部材で保護された複数本の電線を束ねた電線束の内部にアース線を配設し、この電線束の外周に接続片を被せてアース端子が取り付けられた電線束を電動機のケーシングと導通した内壁を備えた電線挿入口に嵌挿し、電線束外周と電線挿入口内壁とでアース端子接触片を挟み込んであるので、確実にアース端子と電線挿入口内壁とを接触させることができる。すなわち、電線束を構成する電線保護部材は弾性絶縁素材で構成されているので、電線束外周に被せて取り付けられたアース端子の接触片が電線保護部材の弾性力によって電線挿入口内壁側に押圧され、アース端子と電線挿入口内壁とを確実に接触させることができる。
【００１０】
請求項２の発明によれば、電線束内部で接続されているアース線とアース端子との接続部は、複数の電線保護部材で保持されているので、接続部は弾性絶縁素材で構成された電線保護部材で保護され、電動土木作業機械の振動などに対する耐久性を向上させることができる。
【００１１】
請求項３の発明によれば、電線挿入口に嵌挿された電線束の電線挿入口開口側にはゴムリングを取り付けてあるので、アース線が後方（電源側）へ引っ張られた場合にアース端子接触片の後方への移動がゴムリングで規制され、アース端子接触片と電線挿入口内壁との接触状態が解除されることを防止できる。
【発明を実施するための最良の形態】
【００１２】
図１はこの発明のアース構造を備えたコンクリートバイブレータの概要を示す縦断面図である。
コンクリートバイブレータ本体１はホース継手２を介してホース３と接続されている。ホース３の内部には、ゴムなどの弾性絶縁素材からなる電線保護部材４で保護された電力供給用の電線５が、３本束ねられた電線束６の状態で配設されている。
図２を参照してこの電線束６を説明すると、電線保護部材４は断面略扇形に形成されており、その中心付近には電線５を通すための孔が形成され、この孔には電線５が挿通されている。電線５が挿通された３つの電線保護部材４は同心円状に配設して束ねられ、電線束６を構成している。
電線束６の中心付近に形成された空洞にアース線７が配設され、このアース線７の先端にはアース端子８が接続されている。
【００１３】
アース端子８は帯状の弾性電導素材を屈曲させて構成されており、電線束の外周に嵌る接触片８２と、この接触片８２に連設され隣接する電線保護部材４の間を通って電線束６内部へ延設されたアース線接続片８１とを備えている。アース線接続片８１の内側にはアース線７が接続されている。このアース線接続部８１は、アース線７と接続された状態で周囲の電線保持部材４で弾性的に保持されており、振動などによる断線が防止されている。
アース端子８の接触片８２は、電線束６の外周に被せて電線束６に取り付けられている。
【００１４】
アース端子８が取り付けられた電線束６は、ホース継手２の電線挿入口２１に嵌挿されている。そして、電線挿入口２１の内壁はバイブレータ本体に内蔵されたモーター充電部のケーシングと導通されている。
電線保護部材４で保護された複数本の電線５を束ねて構成した電線束６の径は電線挿入口２１の内径と同じ径かやや大きな径としてあるが、電線挿入口２１の開口部近傍を開口側の径が拡がるようなテーパー状に形成することで、電線束６を電線挿入口２１に挿入し易いようにしてある。
嵌挿された電線束６は、嵌挿状態において、電線保護部材４の弾性力が電線束６の外周方向に働いているので、アース端子８の接触片８２は電線挿入口２１の内壁方向に押圧され、接触片８２が電線束６の外周と電線挿入口２１の内壁とで挟まれる。
【００１５】
前記電線挿入口２１に嵌挿された電線束６の電線挿入口開口側にはゴムリング９が取り付けられている。コンクリートバイブレータ本体１とホース３との接続部には取扱時にテンションがかかりやすく、アース線７が後方（電源側）へ引っ張られやすいが、ゴムリング９を取り付けることでアース端子８の後方への移動を規制し、アース端子の接触片８２と電線挿入口２１内壁との接触状態が保たれるようにしてある。
【００１６】
図中符号１０は、ホース継手２とホース３とを接続するとともに電線挿入口２１への電線束６の嵌挿状態を保つためのホースアダプターである。このホースアダプター１０によって電線挿入口２１からの電線束６の抜けが防止される。
【００１７】
上記構成により、アース端子８の接触片８２は帯状であって電線束６の外周に被せて取り付けてあるので、電線挿入口２１の内壁との接触面を広くとることができ、また、接触片８２は電線保護部材４によって押圧されているので、安定した接触状態を保つことができる。
また、アース線７とアース端子８との接続部は電線束内部で複数の電線保護部材４によって保護されているので、振動などによる断線のおそれもない。
さらには、電線挿入口２１に嵌挿された電線束６の電線挿入口開口側に取り付けられたゴムリング９によってアース端子８が後方へ移動することを防止でき、アース端子接触片８２と電線挿入口２１内壁との接触状態を保ることができる。
【産業上の利用可能性】
【００１８】
この発明は、コンクリートバイブレータなどの電動土木作業機械のアース構造に関するものであり、産業上の利用可能性を有するものである。
【図面の簡単な説明】
【００１９】
【図１】この発明のアース装置を備えたコンクリートバイブレータの概要を示す縦断面図
【図２】同じくアース装置部分の横断面図
【図３】同じくアース端子とゴムリングが取り付けられた電線束を示す図
【符号の説明】
【００２０】
１    コンクリートバイブレータ本体
２    ホース継手
２１  電線挿入口
３    ホース
４    電線保護部材
５    電線
６    電線束
７    アース線
８    アース端子
８１  接続部
８２  接触片
９    ゴムリング
１０  ホースアダプター
【図１】
2010213395.tif 000003
【図２】
2010213395.tif 000004
【図３】
2010213395.tif 000005